(57)【要約】      （修正有）【課題】電源設備のない場所においても使用することができ、外気温度の高い地域においても優れた冷却能力を発揮する保冷コンテナを提供する。【解決手段】保冷コンテナ１００は、気密性を有するコンテナ１０と、コンテナ内を冷却するためコンテナ内に配置された熱交換器２４と、熱交換器に冷媒を循環供給する電動式のコンプレッサ２３と、コンプレッサに給電する発電機２２と、発電機を駆動するエンジン２１と、を備える。また、コンテナを形成する左右の側壁体に沿って冷気を流動させるため、側壁体の外面と略平行に断熱部材及びサイディング材３４を付設して形成された気体流路と、気体流路内に冷気を供給する送気手段である給気経路及び送風機４１と、気体流路内と連通する排気経路４４と、を設ける。壁体の外面と断熱部材との間に、気体流路を互いに連通する複数領域に区画するスペーサ３１、３２を配置してもよい。【選択図】図２
0003199096.tif 000002
【実用新案登録請求の範囲】
【請求項１】
気密性を有するコンテナと、前記コンテナ内を冷却するため前記コンテナ内に配置された熱交換器と、前記熱交換器に冷媒を循環供給する電動式のコンプレッサと、前記コンプレッサに給電する発電機と、前記発電機を駆動するエンジンと、を備え、
前記コンテナを形成する壁体に沿って冷気を流動させるため前記壁体の外面若しくは内面に沿って形成された気体流路と、前記気体流路内に冷気を供給する送気手段と、前記気体流路内と連通する排気経路と、を設けた保冷コンテナ。
【請求項２】
前記コンテナを形成する壁体の外面に当該外面と略平行をなすように断熱部材を付設することにより、前記外面と前記断熱部材との間に前記気体流路を形成した請求項１記載の保冷コンテナ。
【請求項３】
記壁体の外面と前記断熱部材との間に、前記気体流路を互いに連通する複数領域に区画するスペーサを配置した請求項２記載の保冷コンテナ。
【請求項４】
前記送気手段として、前記コンテナ内の冷却空気を吸い込んで前記気体流路内に供給する送風機を設けた請求項１〜３のいずれかに記載の保冷コンテナ。
【請求項５】
前記気体流路内に対する冷却空気の供給量を変更するための流量調整手段を設けた請求項１〜４のいずれかに記載の保冷コンテナ。
【考案の詳細な説明】
【技術分野】
【０００１】
本考案は、食料品やその他の要冷蔵品、要冷凍品などを冷凍状態あるいは冷蔵状態で保管するための保冷コンテナに関する。
【背景技術】
【０００２】
食料品などを低温貯蔵するために使用される保冷コンテナについては、従来、様々な構造、機能を有するものが提案されているが、本考案に関連するものとして、例えば、特許文献１に記載された「冷蔵コンテナ」がある。
【０００３】
特許文献１記載の「冷蔵コンテナ」は、冷却器に冷却されたブラインを流す流路とその流路の外に一体化された冷却フィンとを有するパネルが、コンテナ本体の内側壁面に設けられた構造を備えている。
【先行技術文献】
【特許文献】
【０００４】
【特許文献１】特開２００３−３０２１４４号公報
【考案の概要】
【考案が解決しようとする課題】
【０００５】
特許文献１記載の「冷蔵コンテナ」は、野菜などの生鮮食品類を効率良く冷却しながら貯蔵や輸送などを行うのに適しているが、搬送用自動車のバッテリや商用電源などの電源設備がないところでは使用できない。また、外気温度の高い地域（例えば、亜熱帯地方や熱帯地方）で使用した場合、冷却能力が不足することがある。
【０００６】
そこで、本考案が解決しようとする課題は、電源設備のない場所においても使用することができ、外気温度の高い地域においても優れた冷却能力を発揮する保冷コンテナを提供することにある。
【課題を解決するための手段】
【０００７】
本考案に係る保冷コンテナは、気密性を有するコンテナと、前記コンテナ内を冷却するため前記コンテナ内に配置された熱交換器と、前記熱交換器に冷媒を循環供給する電動式のコンプレッサと、前記コンプレッサに給電する発電機と、前記発電機を駆動するエンジンと、を備え、
前記コンテナを形成する壁体に沿って冷気を流動させるため前記壁体の外面若しくは内面に沿って形成された気体流路と、前記気体流路内に冷気を供給する送気手段と、前記気体流路内と連通する排気経路と、を設けたことを特徴とする。
【０００８】
ここで、前記コンテナを形成する壁体の外面に当該外面と略平行をなすように断熱部材を付設することにより、前記外面と前記断熱部材との間に前記気体流路を形成することが望ましい。
【０００９】
また、前記壁体の外面と前記断熱部材との間に、前記気体流路を互いに連通する複数領域に区画するスペーサを配置することが望ましい。
【００１０】
さらに、前記送気手段として、前記コンテナ内の冷却空気を吸い込んで前記気体流路内に供給する送風機を設けることが望ましい。
【００１１】
この場合、前記気体流路内に対する冷却空気の供給量を変更するための流量調整手段を設けることが望ましい。
【考案の効果】
【００１２】
本考案により、電源設備のない場所においても使用することができ、外気温度の高い地域においても優れた冷却能力を発揮する保冷コンテナを提供することができる。
【図面の簡単な説明】
【００１３】
【図１】本考案の実施形態である保冷コンテナを示す斜視図である。
【図２】図１中の矢線Ａ方向から見た保冷コンテナの側面図である。
【図３】図２中のＢ−Ｂ線における水平断面図である。
【図４】図３中のＣ−Ｃ線における垂直断面図である。
【考案を実施するための形態】
【００１４】
以下、図１〜図４に基づいて、本考案の実施形態である保冷コンテナ１００について説明する。図１〜図３に示すように、本実施形態の保冷コンテナ１００は、気密性を有する直方体形状のコンテナ１０と、コンテナ１０内を冷却するためコンテナ１０内に配置された熱交換器２４と、熱交換器２４に冷媒を循環供給する電動式のコンプレッサ２３と、コンプレッサ２３に給電する発電機２２と、発電機２２を駆動するエンジン２１と、を備えている。コンテナ１０は、互いに平行をなすように立設された左右の側壁体１１Ｌ，１１Ｒと、正面部分を閉塞する正面壁体１２と、背面部分を開閉可能に閉塞するドア式の背面壁体１３，１３と、上面部分を閉塞する天井壁体１４と、下面部分を閉塞する底壁体１５と、によって形成され、その内部に収容空間１０１を有している。
【００１５】
図１に示すように、２枚の背面壁体１３，１３は、それぞれ複数の蝶番１７を介して、左右の側壁体１１Ｌ，１１Ｒの背面側の辺縁部に開閉可能に取り付けられ、２枚の背面壁体１３，１３には、それぞれ把持部材１６，１６が取り付けられている。把持部材１６，１６をそれぞれ手で把握して操作することにより、背面壁体１３，１３は観音開き式に開閉可能である。
【００１６】
コンテナ１０を形成する側壁体１１Ｌ，１１Ｒの外面に、それぞれ当該外面と略平行をなすように断熱部材３３及びサイディング材３４を付設することにより、側壁体１１Ｌ，１１Ｒの外面と断熱部材３３との間に、それぞれ冷気が流動可能な気体流路３５が形成されている。これにより、保冷コンテナ１００を構成するコンテナ１０の左側面及び右側面に、それぞれ気体流路３５を内蔵する断熱壁体３０Ｒ，３０Ｌを設けた構造となる。
【００１７】
また、壁体１１Ｌ，１１Ｒのそれぞれの外面と断熱部材３３との間に、角柱形状を有する複数のスペーサ３１，３２を、所定距離を隔てて垂直方向に配置することにより、気体流路３５の内部が、互いに連通する複数領域に区画されている。図４に示すように、複数のスペーサ３１，３２は垂直方向に起立した状態で、正面壁体１２から背面壁体１３に至る範囲内で略等間隔をなすように配置されている。スペーサ３１，３２の長さは気体流路３５の垂直方向の長さより小さいので、スペーサ３１の上端側及びスペーサ３２の下端側にはそれぞれ冷気が通過可能な連通部３１ａ，３２ａが形成されている。これにより、気体流路３５の正面部分と背面部分とは冷却空気が流動可能に連通（連続）した状態となっている。
【００１８】
図１に示すように、保冷コンテナ１００を構成するコンテナ１０の天井壁体１４上面の背面寄りの部分には、コンテナ１０内の冷却空気を吸い込んで左側の断熱壁体３０Ｒの気体流路３５（図示せず）内へ供給するための送気手段として、給気経路４０及び送風機４１が設けられている。給気経路４０の途中には冷却空気の供給量を変更するための流量調整手段である開閉バルブ４２が配置されている。開閉バルブ４２に設けられた開閉レバー４２ａを操作することにより、開閉バルブ４２内を通過する冷却空気の流量を調整することができる。
【００１９】
コンテナ１０の天井壁体１４上の正面寄りの部分には、左側の断熱壁体３０Ｌの気体流路３５と、右側の断熱壁体３０Ｒの気体流路３５と、を連通する通気経路４３が設けられている。また、右側の断熱壁体３０Ｒの上面の背面寄りの部分には、断熱壁体３０Ｒの気体流路３５と連通する倒立Ｌ字状の排気経路４４が設けられている。
【００２０】
図１〜図４に示すような構造を備えた保冷コンテナ１００において、エンジン２１を始動すると、エンジン２１で駆動された発電機２２によって発電された電気によってコンプレッサ２３が稼働する。これにより、コンプレッサ２３で形成された冷媒がコンテナ１０内の熱交換器２４に対して循環供給され、熱交換器２４から放出される冷気により、収容空間１０１の内部が所定の冷蔵状態あるいは冷凍状態に保たれる。
【００２１】
この状態で、コンテナ１０の上面に配置された送風機４１を稼働させると、コンテナ１０の内部（収容空間１０１の内部）の冷却空気が、給気経路４０を経由して、左側の断熱隔壁３０Ｌの気体流路３５内の背面寄りの部分に供給される。この場合、左側の断熱隔壁３０Ｌの気体流路３５に対する冷却空気の供給量は開閉レバー４２ａの開度によって調節することができる。
【００２２】
左側の断熱壁体３０Ｌの気体流路３５内に供給された冷却空気は、図４中の曲線矢線で示す方向と逆方向に沿って、気体流路３５内の背面部分から正面部分に向かって流動していき、通気経路４３を経由して、右側の断熱壁体３０Ｒの気体流路３５の正面部分に流入する。
【００２３】
右側の断熱壁体３０Ｒの気体流路３５の正面部分に流入した冷却空気は、図４中の曲線矢線で示すように、気体流路３５内を上下に移動しながら、正面部分から背面部分に向かって流動して行き、排気経路４４を経由して、大気中へ放出される。
【００２４】
このように、保冷コンテナ１００は、エンジン２１で駆動される発電機２２と、発電機２２からの電気で稼働するコンプレッサ２３と、を備えているため、電源設備のない場所においても使用することができる。
【００２５】
また、保冷コンテナ１００内の収容空間１０１は、熱交換器２４によって冷却されるだけいでなく、コンテナ１０の左右の側壁体１１Ｌ，１１Ｒの外面に設けられた気体流路３５内を流動する冷却空気によって断熱壁体３０Ｌ，３０Ｒが低温に保持されるので、外気温度の高い地域においても優れた冷却能力を発揮する。
【００２６】
なお、図１〜図４に基づいて説明した保冷コンテナ１００は、本考案の一例を示すものであり、本考案の保冷コンテナは前述した保冷コンテナ１００に限定されない。
【産業上の利用可能性】
【００２７】
本考案に係る保冷コンテナは、食料品やその他の要冷蔵品、要冷凍品などを冷凍状態あるいは冷蔵状態で保管したり、運搬したりする手段として、食品産業あるいは運輸業などの分野において広く利用することができる。
【符号の説明】
【００２８】
１０  コンテナ
１１Ｌ，１１Ｒ  側壁体
１２  正面壁体
１３  背面壁体
１４  天井壁体
１５  底壁体
１６  把持部材
１７  蝶番
２１  エンジン
２２  発電機
２３  コンプレッサ
２４  熱交換器
３０Ｌ，３０Ｒ  断熱壁体
３１，３２  スペーサ
３１ａ，３２ａ  連通部
３３  断熱部材
３４  サイディング材
３５  気体流路
４０  給気経路
４１  送風機
４２  開閉バルブ
４２ａ  開閉レバー
４３  通気経路
４４  排気経路
１００  保冷コンテナ
１０１  収容空間
【図１】
0003199096.tif 000003
【図２】
0003199096.tif 000004
【図３】
0003199096.tif 000005
【図４】
0003199096.tif 000006